(57)【要約】【課題】余剰電線の収容スペースを不要にでき、電線挟み込みによる断線が生じず、しかも、電装品同士を簡単に導通接続できる扉用電装品の導通接続構造を提供する。【解決手段】扉１５の一方の面（屋外側面１７）と、扉１５の内部または他方の面（屋内側面２１）に取り付けられる対となる電装品同士を導通接続する導通接続構造であって、対となる電装品の一方の電装品（電気錠２５）に導通接続されて固定されるプラグ１１と、対となる電装品の他方の電装品（屋外側ユニット１９）にソケットベース４３が固定される可動ソケット１３と、扉面に沿う方向でソケットベース４３に変位自在に支持され他方の電装品に導通接続されるとともに、嵌合するプラグ１１とも導通接続されるソケットハウジング４５と、を具備する。【選択図】  図２
2016176281.tif 000002
【特許請求の範囲】
【請求項１】
扉の一方の面と、該扉の内部または他方の面に取り付けられる対となる電装品同士を導通接続する導通接続構造であって、
前記対となる電装品の一方の電装品に導通接続されて固定されるプラグと、
前記対となる電装品の他方の電装品に固定され、該他方の電装品に導通接続されるとともに、嵌合する前記プラグとも導通接続されるソケットハウジングと、
を具備することを特徴とする扉用電装品の導通接続構造。
【請求項２】
扉の一方の面と、該扉の内部または他方の面に取り付けられる対となる電装品同士を導通接続する導通接続構造であって、
前記対となる電装品の一方の電装品に導通接続されて固定されるプラグと、
前記対となる電装品の他方の電装品にソケットベースが固定される可動ソケットと、
扉面に沿う方向で前記ソケットベースに変位自在に支持され前記他方の電装品に導通接続されるとともに、嵌合する前記プラグとも導通接続されるソケットハウジングと、
を具備することを特徴とする扉用電装品の導通接続構造。
【請求項３】
請求項２記載の扉用電装品の導通接続構造であって、
前記ソケットハウジングと前記ソケットベースとに渡ってソケット端子が設けられ、
前記ソケット端子は、前記ソケットハウジングと前記ソケットベースとの間に、屈曲形成された変位吸収屈曲部を有することを特徴とする扉用電装品の導通接続構造。
【請求項４】
請求項３記載の扉用電装品の導通接続構造であって、
前記プラグには扉面に垂直に突出するタブ端子が収容され、
前記ソケットハウジングには前記タブ端子の軸線直交方向の移動を許容する長穴の端子受入口が形成され、
前記ソケット端子には前記タブ端子の前記移動の範囲で導通を維持する平板状弾接挟持片が形成されていることを特徴とする扉用電装品の導通接続構造。
【請求項５】
請求項４記載の扉用電装品の導通接続構造であって、
前記タブ端子と前記ソケット端子とが前記タブ端子の突出方向の任意の位置で導通することを特徴とする扉用電装品の導通接続構造。
【請求項６】
請求項４または５記載の扉用電装品の導通接続構造であって、
前記プラグには前記タブ端子を包囲するプラグフードが設けられ、
前記プラグフードの先端面には前記ソケットハウジングを内方へ導入するテーパー状のガイド面が形成されていることを特徴とする扉用電装品の導通接続構造。
【発明の詳細な説明】
【技術分野】
【０００１】
本発明は、扉用電装品の導通接続構造に関する。
【背景技術】
【０００２】
近年、扉には、電気錠やカードリーダー等の電装品が取り付けられるようになってきている。これらの電装品は、扉に取り付け固定されるとともに、例えば扉の表裏面に配設されたり扉の内部と外表面とに配設されて相互が導通接続される場合がある。このような扉用電装品の導通接続構造の例として特許文献１の電気錠の台座構造に開示されているものがある。この電気錠の台座構造では、電気錠が、扉内に取り付けられる錠箱と、扉の屋内面に取り付けられる台座と、を有している。錠箱には、モーターや、モーターを駆動制御するための制御装置が収容される。台座には、電池収容部と、電池と導通接続された電源側コネクタと、が設けられている。錠箱からは、制御装置やモーターに接続される電源線が導出される。導出された電源線は、扉の屋内面に穿設された電源線貫通穴を貫通して扉の外に引き出される。この電源線の端末には錠箱側コネクタが取り付けられている。
【０００３】
上記した構成を有する扉用電装品の導通接続構造では、扉の内部に錠箱が取り付けられ、扉屋内面の電源線貫通穴から電源線が引き出される。扉屋内面には、電源線貫通穴を覆うように台座が取り付けられる。この際、電源線は、台座の内部に引き込まれ、錠箱側コネクタと電源側コネクタとが嵌合される。これにより、錠箱と電池とが導通接続される。台座に引き込まれた電源線の余剰部分及び錠箱側コネクタは、台座の内部に設けられているコネクタ収納部に収納される。
【先行技術文献】
【特許文献】
【０００４】
【特許文献１】特開２０１２−８７４９５号公報
【発明の概要】
【発明が解決しようとする課題】
【０００５】
しかしながら、上記した従来の扉用電装品の導通接続構造は、扉屋内面から引き出される電源線や錠箱側コネクタを収納するコネクタ収納部等の収容スペースを確保する必要がある。このため、導通接続構造が大きくなる問題がある。また、電源線を扉屋内面から引き出した後に台座を取り付けるため、台座と扉屋内面の間に電源線を挟み、断線を生じさせる虞がある。さらに、電源線を電源線貫通穴から引き出す作業、引き出した電源線を台座に引き込み、電源側コネクタに嵌合する作業等が必要となり、電装品同士を簡単に導通接続することができなかった。
【０００６】
本発明は上記状況に鑑みてなされたもので、その目的は、余剰電線の収容スペースを不要にでき、電線挟み込みによる断線が生じず、しかも、電装品同士を簡単に導通接続できる扉用電装品の導通接続構造を提供することにある。
【課題を解決するための手段】
【０００７】
次に、上記の課題を解決するための手段を、実施の形態に対応する図面を参照して説明する。
本発明の請求項１記載の扉用電装品の導通接続構造は、扉１５の一方の面と、該扉１５の内部または他方の面に取り付けられる対となる電装品同士を導通接続する導通接続構造であって、
前記対となる電装品の一方の電装品に導通接続されて固定されるプラグ１１と、
前記対となる電装品の他方の電装品に固定され、該他方の電装品に導通接続されるとともに、嵌合する前記プラグ１１とも導通接続されるソケットハウジング４５と、
を具備することを特徴とする。
【０００８】
この扉用電装品の導通接続構造では、例えば扉１５の内部に一方の電装品が先に取り付けられ、その後に扉１５の一方の面に他方の電装品が取り付けられる際、他方の電装品と一方の電装品とを、プラグ１１とソケットハウジング４５とを向かい合わせてそれぞれ取り付けることで互いが嵌合して導通接続される。これにより、他方の電装品の取り付けと、一方の電装品との導通接続とが短時間で完了する。他方の電装品と一方の電装品とは、プラグ１１とソケットハウジング４５にて直接接続されるので、電線による接続作業が不要となる。また、余長電線を収納する必要もなくなる。
【０００９】
本発明の請求項２記載の扉用電装品の導通接続構造は、扉１５の一方の面と、該扉１５の内部または他方の面に取り付けられる対となる電装品同士を導通接続する導通接続構造であって、
前記対となる電装品の一方の電装品に導通接続されて固定されるプラグ１１と、
前記対となる電装品の他方の電装品にソケットベース４３が固定される可動ソケット１３と、
扉面に沿う方向で前記ソケットベース４３に変位自在に支持され前記他方の電装品に導通接続されるとともに、嵌合する前記プラグ１１とも導通接続されるソケットハウジング４５と、
を具備することを特徴とする。
【００１０】
この扉用電装品の導通接続構造では、例えば扉１５の内部に一方の電装品が先に取り付けられ、その後に扉１５の一方の面に他方の電装品が取り付けられる際、他方の電装品と一方の電装品とに位置ズレが生じていると、プラグ１１に対して可動ソケット１３が移動する。この移動によって、一方の電装品と他方の電装品とに生じている位置ズレが吸収される。位置ズレの吸収によりソケットハウジング４５は、プラグ１１に対して正規の相対位置へ位置され、プラグ１１に嵌合されて導通接続される。これにより、他方の電装品の取り付けと、一方の電装品との導通接続とが短時間で完了する。他方の電装品と一方の電装品とは、プラグ１１と可動ソケット１３にて直接接続されるので、電線による接続作業が不要となる。また、余長電線を収納する必要もなくなる。
【００１１】
本発明の請求項３記載の扉用電装品の導通接続構造は、請求項２記載の扉用電装品の導通接続構造であって、
前記ソケットハウジング４５と前記ソケットベース４３とに渡ってソケット端子５９が設けられ、
前記ソケット端子５９は、前記ソケットハウジング４５と前記ソケットベース４３との間に、屈曲形成された変位吸収屈曲部６１を有することを特徴とする。
【００１２】
この扉用電装品の導通接続構造では、ソケットハウジング４５とソケットベース４３とに渡ってソケット端子５９が設けられる。ソケット端子５９は、バネ性を有する導電性金属からなる。ソケット端子５９は、一端側がソケットハウジング４５に収容され、他端側がソケットベース４３に収容される。ソケット端子５９は、ソケットハウジング４５とソケットベース４３との間に変位吸収屈曲部６１が形成される。変位吸収屈曲部６１は、例えばコ字状に形成され、このコ字状の両端から一端側と他端側が離反方向に延出するクランク状に形成される。変位吸収屈曲部６１は、コ字状開口側が拡縮されることで、ソケットベース４３に対し、ソケットハウジング４５を、扉面に沿う方向、及び扉面に垂直な方向へ導通状態を維持したまま移動可能とする。
【００１３】
本発明の請求項４記載の扉用電装品の導通接続構造は、請求項３記載の扉用電装品の導通接続構造であって、
前記プラグ１１には扉面に垂直に突出するタブ端子６７が収容され、
前記ソケットハウジング４５には前記タブ端子６７の軸線直交方向の移動を許容する長穴の端子受入口４９が形成され、
前記ソケット端子５９には前記タブ端子６７の前記移動の範囲で導通を維持する平板状弾接挟持片７５が形成されていることを特徴とする。
【００１４】
この扉用電装品の導通接続構造では、プラグ１１とソケットハウジング４５との間に、端子受入口４９の長穴の長手方向の位置ズレが生じていても、タブ端子６７が、端子受入口４９の長穴の範囲で、ソケット端子５９に接触することで、位置ズレが吸収可能となる。ソケットハウジング４５にはソケット端子５９が収容され、ソケット端子５９は平板状弾接挟持片７５を有する。端子受入口４９において相対的に変位しているタブ端子６７は、例えば一対で平行な構成とされる平板状弾接挟持片７５に挟持されることで、長穴の範囲で導通接続状態が維持される。つまり、端子受入口４９の長手方向の範囲で、プラグ１１とソケットハウジング４５の位置ズレが吸収され、タブ端子６７とソケット端子５９の導通が維持される。
【００１５】
本発明の請求項５記載の扉用電装品の導通接続構造は、請求項４記載の扉用電装品の導通接続構造であって、
前記タブ端子６７と前記ソケット端子５９とが前記タブ端子６７の突出方向の任意の位置で導通することを特徴とする。
【００１６】
この扉用電装品の導通接続構造では、プラグ１１とソケットハウジング４５との間に、接近離反方向（扉１５の厚み方向）の位置ズレが生じていると、タブ端子６７の導通可能な長さ範囲で、位置ズレが吸収される。タブ端子６７上を突出前後方向に移動されるソケット端子５９は、移動の範囲でタブ端子６７との導通接続状態が維持される。従って、プラグ１１とソケットハウジング４５とが接近する方向の相対的な位置ズレが生じているときは、タブ端子６７がソケット端子５９に深く挿入されて導通接続される。プラグ１１とソケットハウジング４５とが離反する方向の相対的な位置ズレが生じているときは、タブ端子６７がソケット端子５９に浅く挿入されて導通接続される。
【００１７】
本発明の請求項６記載の扉用電装品の導通接続構造は、請求項４または５記載の扉用電装品の導通接続構造であって、
前記プラグ１１には前記タブ端子６７を包囲するプラグフード７７が設けられ、
前記プラグフード７７の先端面には前記ソケットハウジング４５を内方へ導入するテーパー状のガイド面７９が形成されていることを特徴とする。
【００１８】
この扉用電装品の導通接続構造では、プラグ１１とソケットハウジング４５とに、扉面に沿う方向の位置ズレが生じている状態で、一方の電装品が取り付けられると、ソケットハウジング４５がガイド面７９に当たる。すると、ソケットハウジング４５は、ガイド面７９からの反力によってプラグフード７７に嵌合する正規位置へと移動される。これにより、位置ズレ吸収のための位置調整作業を特別に行うことなく、プラグ１１と可動ソケット１３とが相互部材のみによって正規に嵌合可能となる。
【発明の効果】
【００１９】
本発明に係る請求項１記載の扉用電装品の導通接続構造によれば、余剰電線の収容スペースを不要にでき、電線挟み込みによる断線が生じず、しかも、電装品同士を簡単に導通接続できる。
【００２０】
本発明に係る請求項２記載の扉用電装品の導通接続構造によれば、余剰電線の収容スペースを不要にでき、電線挟み込みによる断線が生じず、しかも、互いの位置ズレがあってもプラグに対して可動ソケットが移動して嵌合し、電装品同士を簡単に導通接続できる。
【００２１】
本発明に係る請求項３記載の扉用電装品の導通接続構造によれば、プラグに嵌合するためにソケットハウジングがソケットベースに対して移動しても、ソケットハウジングとソケットベースとを導通状態に維持できる。
【００２２】
本発明に係る請求項４記載の扉用電装品の導通接続構造によれば、タブ端子が端子受入口の長手方向に移動する範囲でタブ端子とソケット端子の導通を維持でき、タブ端子の移動量分、プラグとソケットハウジングの位置ズレを吸収できる。
【００２３】
本発明に係る請求項５記載の扉用電装品の導通接続構造によれば、タブ端子の導通が可能となる長さの範囲で、プラグとソケットハウジングの離間方向の位置ズレを吸収できる。
【００２４】
本発明に係る請求項６記載の扉用電装品の導通接続構造によれば、プラグフードのガイド面にソケットハウジングが当接する範囲で位置ズレが生じていても、電装品取り付け時の接近によって、ソケットハウジングが正規の嵌合位置に移動して、嵌合を完了させることができる。
【図面の簡単な説明】
【００２５】
【図１】本発明の実施形態に係る扉用電装品の導通接続構造を備える扉の要部分解斜視図である。
【図２】図１の扉用電装品の導通接続構造を扉の中央内部側から見た断面図である。
【図３】図２に示した可動ソケットの斜視図である。
【図４】（ａ）は図３に示した可動ソケットの一部分を切り欠いた斜視図、（ｂ）はソケット端子とソケット側回路基板の斜視図である。
【図５】図２に示したプラグの斜視図である。
【図６】（ａ）は図５に示したプラグの一部分を切り欠いた斜視図、（ｂ）はタブ端子とプラグ側回路基板の斜視図である。
【図７】嵌合前のプラグと可動ソケットの断面図である。
【図８】嵌合後のプラグと可動ソケットの断面図である。
【図９】長穴の長手方向に位置ズレしているプラグと可動ソケットの断面図である。
【図１０】長穴の長手方向の位置ズレを吸収して嵌合されたプラグと可動ソケットの断面図である。
【図１１】長穴の長手方向に直交する方向に位置ズレしているプラグと可動ソケットの断面図である。
【図１２】長穴の長手方向に直交する方向の位置ズレを吸収して嵌合されたプラグと可動ソケットの断面図である。
【図１３】（ａ）はタブ端子が深く挿入された導通接続されたプラグと可動ソケットの断面図、（ｂ）はタブ端子が浅く挿入された導通接続されたプラグと可動ソケットの断面図である。
【図１４】扉を挟んで両側の扉面に一方の電装品と他方の電装品とが導通される変形例に係る扉用電装品の導通接続構造を備える扉の断面図である。
【図１５】扉に内蔵された一方の電装品と扉面の他方の電装品とが一対一で導通接続される変形例に係る扉用電装品の導通接続構造を備える扉の断面図である。
【発明を実施するための形態】
【００２６】
以下、本発明に係る実施形態を図面を参照して説明する。
図１は本発明の実施形態に係る扉用電装品の導通接続構造を備える扉の要部分解斜視図、図２は図１の扉用電装品の導通接続構造を扉の中央内部側から見た断面図、図３は図２に示した可動ソケットの斜視図、図４（ａ）は図３に示した可動ソケットの一部分を切り欠いた斜視図、（ｂ）はソケット端子とソケット側回路基板の斜視図、図５は図２に示したプラグの斜視図、図６（ａ）は図５に示したプラグの一部分を切り欠いた斜視図、（ｂ）はタブ端子とプラグ側回路基板の斜視図、図７は嵌合前のプラグと可動ソケットの断面図、図８は嵌合後のプラグと可動ソケットの断面図である。
扉用電装品の導通接続構造は、対となって構成される電装品と、プラグ１１と、可動ソケット１３と、を有する。
【００２７】
本実施形態において、対となる電装品の一方の電装品は、扉１５の内部に取り付けられる。また対となる電装品の他方の電装品は扉１５の一方の面に取り付けられる。また、本実施形態では、扉１５の他方の面に他の電装品が取り付けられる。つまり、扉１５を挟んで２つの電装品（他方の電装品）が、内部の電装品（一方の電装品）に導通接続され、すなわち対となる電装品を二組備えた構成とされる。扉１５の内部に取り付けられる一方の電装品は、施錠機構を備える電気錠２５である。扉の一方の面である屋外側面１７に取り付けられる電装品（他方の電装品）は、カードリーダー、表示装置を備える屋外側ユニット１９である。扉の他方の面である屋内側面２１に取り付けられる他の電装品（他方の電装品）は、電池などの電源を備える屋内側ユニット２３である。
【００２８】
なお、本発明に係る扉用電装品の導通接続構造は、一方の電装品と他方の電装品の２つが扉１５を挟んで両側の扉面に取り付けられる構成、或いは一方の電装品と他方の電装品の２つが片側の扉面と扉１５の内部に取り付けられる構成であってもよい。すなわち、本発明は、扉１５に固定される対となる電装品（一方の電装品と他方の電装品）が直接導通接続される構造に用いて好適となる。この一方の電装品と他方の電装品との導通接続構造は同様であるので、本実施形態では、主に一方の電装品である電気錠２５と他方の電装品である屋外側ユニット１９の導通接続構造を代表例に説明する。
【００２９】
電気錠２５が内設される扉１５の表裏の扉面には、ハンドル軸２７やネジなどが挿通される機構連結穴２９が貫通して穿設される。また、機構連結穴２９の下方にはコネクタ接続穴３１が穿設される。コネクタ接続穴３１には、電気錠２５のプラグ側回路基板３３（図２参照）の表裏にそれぞれ背合わせで面実装されたプラグ１１が表出される。プラグ１１は、プラグ側回路基板３３の回路を介してモーターや駆動回路に導通接続される。
【００３０】
扉面には機構連結穴２９、コネクタ接続穴３１を覆うようにして、屋外側ユニット１９のケース３５、屋内側ユニット２３のケース３５が固定ビス３７等によって取り付けられる。ケース３５にはハンドル３９のハンドル軸２７が回転自在に支持され、ハンドル軸２７は電気錠２５の施錠機構に連結される。屋外側ユニット１９のケース３５にはソケット側回路基板４１が固定され、ソケット側回路基板４１には可動ソケット１３が実装される。屋内側ユニット２３のケース３５にもソケット側回路基板４１が固定され、ソケット側回路基板４１には可動ソケット１３が実装される。屋外側ユニット１９の可動ソケット１３は、扉１５の屋外側面１７のコネクタ接続穴３１で表出するプラグ１１と導通接続される。また、屋内側ユニット２３の可動ソケット１３は、扉１５の屋内側面２１のコネクタ接続穴３１で表出するプラグ１１と導通接続される。
【００３１】
可動ソケット１３は、ソケット側回路基板４１に固定される図３に示すソケットベース４３と、ソケットベース４３に支持されるソケットハウジング４５と、からなる。ソケットハウジング４５は、例えば立方体や直方体に形成され、嵌合面４７に複数の端子受入口４９が開口される。ソケットハウジング４５の両側面には嵌合方向と反対側に突出する可撓支持板５１が設けられる。可撓支持板５１の突出先端には係止爪５３が設けられ、可撓支持板５１はソケットベース４３に形成される遊嵌穴５５に、係止爪５３を係止することでソケットベース４３に移動自在に支持される。すなわち、ソケットハウジング４５は、扉面に沿う方向で、ソケットベース４３に変位自在に支持されている。なお、ソケットベース４３には、ソケットハウジング４５の後端面を当接支持する支持壁５７が突設されていてもよい。
【００３２】
ソケットハウジング４５とソケットベース４３とには、両者に渡ってソケット端子５９が設けられる。ソケット端子５９は、バネ性を有する導電性金属（例えばリン青銅等）からなる。ソケット端子５９は、ソケットハウジング４５とソケットベース４３との間に、クランク状に屈曲形状の変位吸収屈曲部６１を有する。変位吸収屈曲部６１のソケット側回路基板側は、ピン状接続部６３となる。ピン状接続部６３は、ソケット側回路基板４１の回路導体貫通孔６５（図４参照）に半田接続される。これにより、ソケットハウジング４５に収容されたソケット端子５９は、屋外側ユニット１９に導通接続される。この際、横に並ぶ２つのソケット端子５９は、図４（ｂ）に示すように、複数が直線状に並ぶ２列の回路導体貫通孔６５が互い違いに使用される。これにより、変位吸収屈曲部６１の撓みの片寄りが防止される。
【００３３】
図５に示すように、電気錠２５のプラグ側回路基板３３に実装されるプラグ１１には、扉面に垂直に突出する複数のタブ端子６７が収容される。プラグ１１は、プラグベース６９がプラグ側回路基板３３に固定される。この固定は、例えばプラグベース６９に設けられるプラグベース固定片７１（図５参照）が接着剤等によってプラグ側回路基板３３に接着固定されることで行われる。
【００３４】
図６（ａ）に示すように、プラグベース６９は、タブ端子６７のタブ基端部７３を例えば圧入によって固定している。タブ端子６７は、プラグベース６９がプラグ側回路基板３３に固定されることで、図６（ｂ）に示すように、タブ基端部７３がプラグ側回路基板３３に接触して回路導体に導通接続される。これにより、導通構造を厚くすることなく、プラグ側回路基板３３の表裏にプラグ１１を実装可能としている。
【００３５】
図４（ａ）に示すように、ソケットハウジング４５には、タブ端子６７の軸線直交方向の移動を許容する長穴の端子受入口４９が形成されている。ソケット端子５９には、タブ端子６７の移動の範囲で導通を維持する一対の平行な平板状弾接挟持片７５が形成されている。平板状弾接挟持片７５は、幅Ｗの範囲で導通接続を可能とする。これにより、タブ端子６７は、端子受入口４９の長手方向ａに移動する範囲内で、平板状弾接挟持片７５との導通接続が維持される。
【００３６】
図５に示すように、プラグ１１には、タブ端子６７を包囲するプラグフード７７が設けられている。プラグフード７７の先端面には、ソケットハウジング４５を内方へ導入するテーパー状のガイド面７９が形成されている。なお、プラグフード７７には、ソケットハウジング４５との嵌合時において、ソケットハウジング４５の可撓支持板５１との干渉を回避するための逃げ凹部８１が形成されている。
【００３７】
図７に示すように、プラグ１１と、可動ソケット１３とは、対面状態に配置された後、相互に接近方向に移動されることで、図８に示すように、プラグフード７７の内方にソケットハウジング４５が嵌合する。この嵌合状態で、プラグ１１のそれぞれのタブ端子６７は、ソケットハウジング４５の端子受入口４９に進入して、内方に収容されているソケット端子５９の平板状弾接挟持片７５と接触する。これにより、プラグ１１とソケットハウジング４５とが導通接続される。この際、タブ端子６７と、ソケット端子５９とは、図６（ｂ）に示すように、タブ端子６７の突出方向ｂの任意の位置の範囲Ｈで導通可能となっている。
【００３８】
次に、上記構成を有する扉用電装品の導通接続構造の作用を説明する。
図９は長穴の長手方向に位置ズレしているプラグ１１と可動ソケット１３の断面図、図１０は長穴の長手方向の位置ズレを吸収して嵌合されたプラグ１１と可動ソケット１３の断面図、図１１は長穴の長手方向に直交する方向に位置ズレしているプラグ１１と可動ソケット１３の断面図、図１２は長穴の長手方向に直交する方向の位置ズレを吸収して嵌合されたプラグ１１と可動ソケット１３の断面図、図１３（ａ）はタブ端子６７が深く挿入された導通接続されたプラグ１１と可動ソケット１３の断面図、（ｂ）はタブ端子６７が浅く挿入された導通接続されたプラグ１１と可動ソケット１３の断面図である。
扉用電装品の導通接続構造では、例えば扉１５の内部に電気錠２５が先に取り付けられ、その後に扉１５の一方の面に屋外側ユニット１９が取り付けられる際、電気錠２５と屋外側ユニット１９とに位置ズレが生じていると、この位置ズレが吸収される。
【００３９】
例えば、図９に示すように、扉用電装品の導通接続構造では、プラグ１１とソケットハウジング４５との間に、端子受入口４９の長穴の長手方向の位置ズレｄ１が生じていても、図１０に示すように、タブ端子６７が、端子受入口４９の長穴の範囲で、ソケット端子５９に接触することで、位置ズレｄ１が吸収可能となる。ソケットハウジング４５にはソケット端子５９が収容され、ソケット端子５９は平板状弾接挟持片７５を有する。端子受入口４９において相対的に変位しているタブ端子６７は、一対の平行な平板状弾接挟持片７５に挟持されることで、長穴の範囲で導通接続状態が維持される。つまり、端子受入口４９の長手方向の範囲で、プラグ１１とソケットハウジング４５の位置ズレｄ１が吸収され、タブ端子６７とソケット端子５９の導通が維持される。
【００４０】
また、図１１に示すように、プラグ１１と可動ソケット１３は、長穴の長手方向に直交する方向ｃ（図４参照）に位置ズレｄ２が生じているとき、図１２に示すように、プラグ１１に対して可動ソケット１３が移動する。この移動によって、電気錠２５と屋外側ユニット１９とに生じている位置ズレｄ２が吸収される。位置ズレｄ２の吸収によりソケットハウジング４５は、プラグ１１に対して正規の相対位置へ位置され、プラグ１１に嵌合されて導通接続される。これにより、屋外側ユニット１９の取り付けと、電気錠２５との導通接続とが短時間で完了する。屋外側ユニット１９と電気錠２５とは、プラグ１１と可動ソケット１３にて直接接続されるので、電線による接続作業が不要となる。また、余長電線を収納する必要もなくなる。
【００４１】
扉用電装品の導通接続構造では、ソケット端子５９が、バネ性を有する導電性金属（例えばリン青銅等）からなる。ソケット端子５９は、一端側がソケットハウジング４５に収容され、他端側がソケットベース４３に収容される。ソケット端子５９は、ソケットハウジング４５とソケットベース４３との間に変位吸収屈曲部６１が形成される。変位吸収屈曲部６１は、コ字状の両端から一端側と他端側が離反方向に延出するクランク状に形成される。変位吸収屈曲部６１は、コ字状開口側が拡縮されることで、ソケットベース４３に対し、ソケットハウジング４５を、扉面に沿う方向、及び扉面に垂直な方向へ導通状態を維持したまま移動可能とする。その結果、プラグ１１に嵌合するためにソケットハウジング４５がソケットベース４３に対して移動しても、ソケットハウジング４５とソケットベース４３とを導通状態に維持できる。
【００４２】
また、扉用電装品の導通接続構造では、プラグ１１とソケットハウジング４５との間に、接近離反方向（扉１５の厚み方向）の位置ズレが生じていると、タブ端子６７の導通可能な長さ範囲で、位置ズレが吸収される。タブ端子上を突出前後方向に移動されるソケット端子５９は、移動の範囲でタブ端子６７との導通接続状態が維持される。これにより、ピン状接続部６３と回路導体貫通孔６５の半田付けによる位置誤差も許容可能とすることができる。さらに、扉１５の厚み誤差により、図１３（ａ）に示すように、プラグ１１とソケットハウジング４５とが接近する方向の相対的な位置ズレが生じているとき、例えば扉１５の厚みＴ１が小さいときは、タブ端子６７がソケット端子５９に深く挿入されて導通接続される。図１３（ｂ）に示すように、プラグ１１とソケットハウジング４５とが離反する方向の相対的な位置ズレが生じているとき、例えば扉１５の厚みＴ２が大きいときは、タブ端子６７がソケット端子５９に浅く挿入されて導通接続される。その結果、タブ端子６７の導通が可能となる長さの範囲Ｈで、プラグ１１とソケットハウジング４５の離間方向の位置ズレを吸収できる。
【００４３】
さらに、扉用電装品の導通接続構造では、プラグ１１とソケットハウジング４５とに、扉面に沿う方向の位置ズレが生じている状態で、屋外側ユニット１９が取り付けられると、ソケットハウジング４５が図１１に示すガイド面７９に当たる。すると、ソケットハウジング４５は、ガイド面７９からの反力によってプラグフード７７に嵌合する図１２に示す正規位置へと移動される。これにより、位置ズレ吸収のための位置調整作業を特別に行うことなく、プラグ１１と可動ソケット１３とが相互部材のみによって正規に嵌合可能となる。その結果、プラグフード７７のガイド面７９にソケットハウジング４５が当接する範囲で位置ズレｄ２が生じていても、電装品取り付け時の接近によって、ソケットハウジング４５が正規の嵌合位置に移動して、嵌合を完了させることができる。
【００４４】
なお、上記の実施形態では、プラグ側回路基板３３の両面にプラグ１１が設けられ、両側の扉面に可動ソケット１３が嵌合される例を説明したが、本発明に係る扉用電装品の導通接続構造は、これに限定されない。
図１４は扉１５を挟んで両側の扉面に一方の電装品と他方の電装品とが導通される変形例に係る扉用電装品の導通接続構造を備える扉１５の断面図、図１５は扉１５に内蔵された一方の電装品と扉面の他方の電装品とが一対一で導通接続される変形例に係る扉用電装品の導通接続構造を備える扉１５の断面図である。
例えば、扉用電装品の導通接続構造は、図１４に示すように、扉１５を挟んで両側の扉面に取り付けられた屋外側ユニット１９と電気錠２５或いは屋内側ユニットとが、プラグ１１と可動ソケット１３を介して直接的に導通接続される構成であってもよい。
また、図１５に示すように、扉１５に内蔵された電気錠２５と、屋内側面２１の屋内側ユニット２３とが、プラグ１１と可動ソケット１３を介して一対一で導通接続される構成であってもよい。
【００４５】
従って、本実施形態に係る扉用電装品の導通接続構造によれば、余剰電線の収容スペースを不要にでき、電線挟み込みによる断線が生じず、しかも、電装品同士を簡単に導通接続できる。
【符号の説明】
【００４６】
１１…プラグ
１３…可動ソケット
１５…扉
１７…一方の面（屋外側面）
１９…他方の電装品（屋外側ユニット）
２１…他方の面（屋内側面）
２５…一方の電装品（電気錠）
４３…ソケットベース
４５…ソケットハウジング
４９…端子受入口
５９…ソケット端子
６１…変位吸収屈曲部
６７…タブ端子
７５…平板状弾接挟持片
７７…プラグフード
７９…ガイド面
【図１】
2016176281.tif 000003
【図２】
2016176281.tif 000004
【図３】
2016176281.tif 000005
【図４】
2016176281.tif 000006
【図５】
2016176281.tif 000007
【図６】
2016176281.tif 000008
【図７】
2016176281.tif 000009
【図８】
2016176281.tif 000010
【図９】
2016176281.tif 000011
【図１０】
2016176281.tif 000012
【図１１】
2016176281.tif 000013
【図１２】
2016176281.tif 000014
【図１３】
2016176281.tif 000015
【図１４】
2016176281.tif 000016
【図１５】
2016176281.tif 000017